(57)【要約】【課題】簡易で安価な構造でも、利用可能な範囲を限定されてしまうことなく、掘削穴が崩れることを防止する状態を容易に実現して維持することのできる柱状構造物の建柱作業方法に用いる建柱作業用補助道具を提供すること。【解決手段】電柱の下端部よりも大きめに形成された掘削穴内に該電柱の下端部を差し込んで埋設することにより電柱を所望の位置に立てる建柱作業に用いられる補助道具であって、前記掘削穴の内面形状よりも大きな袋形状に形成されている保護部材１２と、該保護部材内に収納されて圧搾空気を充填されることにより前記掘削穴と相似形状に変形する機能部材１１と、を備える少なくとも２重構造に形成されて、充填される前記圧搾空気により前記掘削穴の内面に外面が倣うように変形することにより該掘削穴と相似形状になって当該掘削穴の内面に近接対面する。【選択図】図１
2011021437.tif 000002
【特許請求の範囲】
【請求項１】
柱状構造物の下端部よりも大きめの穴を掘削して当該掘削穴内に該柱状構造物の下端部を差し込んで埋設することにより柱状構造物を所望の位置に立てる建柱作業方法であって、
所望の位置に前記掘削穴を掘削する掘削工程と、前記掘削穴内に補助道具を一時的に収容する収容工程と、前記補助道具を前記掘削穴内から回収する回収工程と、前記補助道具を回収された前記掘削穴内に前記柱状構造物の下端部を差し込んで埋設する埋設工程と、を備えて、前記補助道具は、変形自在な材料が袋形状に形成されて流動材料を充填される外面部材により構成されており、
前記収容工程では、前記外面部材を前記掘削穴内にセットした後に、前記外面部材内に前記流動材料を充填することにより、前記掘削穴の内面に倣う外面を有する外形に前記外面部材が変形して該掘削穴と相似形状になって当該掘削穴の内面に近接対面あるいは接触対面する一方、
前記回収工程では、前記掘削穴内の前記外面部材の内部から前記流動材料を流出させることにより、前記外面部材の外形を縮小させて前記掘削穴内から引き上げて回収する
ことを特徴とする柱状構造物の建柱作業方法。
【請求項２】
柱状構造物の下端部よりも大きめに形成された掘削穴内に該柱状構造物の下端部を差し込んで埋設することにより柱状構造物を所望の位置に立てる建柱作業に用いられる補助道具であって、
変形自在な材料が袋形状に形成されて流動材料を充填される外面部材により構成されており、
前記外面部材は、前記流動材料を充填することで前記掘削穴の内面に外面が倣うように変形して該掘削穴と相似形状になって当該掘削穴の内面に近接対面あるいは接触対面することを特徴とする建柱作業用補助道具。
【請求項３】
前記外面部材は、前記掘削穴の内面形状よりも大きな袋形状に形成されている保護部材と、該保護部材内に収納されて前記流動材料を充填されることにより前記掘削穴と相似形状に変形する弾性部材と、を備える少なくとも２重構造に形成されていることを特徴とする請求項２に記載の建柱作業用補助道具。
【請求項４】
前記外面部材は、前記掘削穴内における下側に位置して外面の拡張が強く制限されることなく変形する大変形部と、前記掘削穴内における上側に位置して外面の拡張が強く制限されつつ変形する小変形部と、が前記掘削穴の深さ方向に少なくとも１段以上備えることを特徴とする請求項３に記載の建柱作業用補助道具。
【請求項５】
前記外面部材は、前記流動材料として圧搾空気を吐出する装置の吐出口に連結する流入口と、内部の空気を流出させる流出口と、が一体に、あるいは、別体に配設されており、
前記流入口には、空気の圧力方向に応じて変形して、圧搾空気の流入を許容するとともに、内部の空気が外部に流出することを制限する制限部材が配設される一方、
前記流出口には、内部の空気の流出を制限しないように開口することを特徴とする請求項２、３または４に記載の建柱作業用補助道具。
【発明の詳細な説明】
【技術分野】
【０００１】
本発明は、柱状構造物の建柱作業方法および建柱作業用補助道具に関し、例えば、日付を跨いで電柱などの柱状構造物の設置（建柱）作業をする場合でも、その作業を容易に完了可能にするものに関する。
【背景技術】
【０００２】
電柱などの柱状構造物を所望の位置に立てて設置する建柱作業としては、地面を掘削した穴内にその柱状構造物の下端部を埋設することが行なわれており（例えば、特許文献１、２）、一般的には、掘削穴の掘削作業に連続して電柱の下端部を埋設して立てた状態にする設置作業を行なって一連の作業を完了する。
【０００３】
しかるに、この種の建柱作業では、例えば、図７および図８に示すように、電柱Ｅを設置する場所を所望の直径ＨＤと深さＨｄに掘削したが（図７（ａ））、その掘削作業に思いのほか時間が掛かってしまって日が暮れるなどして作業を継続することができない場合がある。このような場合には、土砂Ｓをその掘削穴Ｈ内に硬く締めることなく緩い状態に埋め戻して（図７（ｂ））、鉄板Ｆを被せることで安全を確保する（図７（ｃ））。この後に、建柱作業を再開するときには、その掘削穴Ｈから鉄板Ｆを外して埋め戻した土砂Ｓを再度取り除いた後に（図８（ａ））、その掘削穴Ｈ内に電柱Ｅの下端部ｅを差し込んで立てた状態を維持しつつ（図８（ｂ））、電柱Ｅの下端部ｅとの間に土砂Ｓを入れて振動させるなどして硬く締める状態に埋設する設置作業を行なって建柱作業を完了する（図８（ｃ））。
【０００４】
また、このように、掘削穴の掘削に連続して柱状構造物を立てることができない場合には、その掘削穴が崩れてしまうことを防止するために、土留め装置（補助道具）を用いることも提案されている（特許文献３）。
【先行技術文献】
【特許文献】
【０００５】
【特許文献１】特開平  ８−２９６３４５号公報
【特許文献２】特開平１１−３２３９６１号公報
【特許文献３】特開平  ８−２８４４７２号公報
【発明の概要】
【発明が解決しようとする課題】
【０００６】
しかしながら、特許文献３に記載の土留め装置は、支持棒周りにリンクを介して支持板が連結される構造に構築されており、支持板を拡開させることでその支持板全体で掘削穴の内面に対して接近する円筒形状の外形になることにより、その掘削穴が崩れることを防止するようになっている。
【０００７】
このような構造を採用するため、上記の土留め装置では、支持棒の長さや支持板の拡開量が決まっていることから、利用可能な掘削穴の深さや穴径が限られてしまう。さらに、この土留め装置は、金属などの硬質な材料で複雑な機構に構築することから、重量が重くなってしまい扱い難いとともに、高価になってしまう、という問題があった。
【０００８】
そこで、本発明は、簡易で安価な構造でも、蓋をすることができなくなるなど利用可能な範囲を限定されてしまうことなく、掘削穴が崩れることを防止する状態を容易に実現して維持することのできる柱状構造物の建柱作業方法や建柱作業用補助道具を提供することを目的としている。
【課題を解決するための手段】
【０００９】
上記課題を解決する柱状構造物の建柱作業方法の発明は、柱状構造物の下端部よりも大きめの穴を掘削して当該掘削穴内に該柱状構造物の下端部を差し込んで埋設することにより柱状構造物を所望の位置に立てる建柱作業方法であって、所望の位置に前記掘削穴を掘削する掘削工程と、前記掘削穴内に補助道具を一時的に収容する収容工程と、前記補助道具を前記掘削穴内から回収する回収工程と、前記補助道具を回収された前記掘削穴内に前記柱状構造物の下端部を差し込んで埋設する埋設工程と、を備えて、前記補助道具は、変形自在な材料が袋形状に形成されて流動材料を充填される外面部材により構成されており、前記収容工程では、前記外面部材を前記掘削穴内にセットした後に、前記外面部材内に前記流動材料を充填することにより、前記掘削穴の内面に倣う外面を有する外形に前記外面部材が変形して該掘削穴と相似形状になって当該掘削穴の内面に近接対面あるいは接触対面する一方、前記回収工程では、前記掘削穴内の前記外面部材の内部から前記流動材料を流出させることにより、前記外面部材の外形を縮小させて前記掘削穴内から引き上げて回収することを特徴としている。
【００１０】
上記課題を解決する建柱作業用補助道具の発明は、柱状構造物の下端部よりも大きめに形成された掘削穴内に該柱状構造物の下端部を差し込んで埋設することにより柱状構造物を所望の位置に立てる建柱作業に用いられる補助道具であって、変形自在な材料が袋形状に形成されて流動材料を充填される外面部材により構成されており、前記外面部材は、前記流動材料を充填することで前記掘削穴の内面に外面が倣うように変形して該掘削穴と相似形状になって当該掘削穴の内面に近接対面あるいは接触対面することを特徴とするものである。
【００１１】
これらの発明では、掘削穴内にセットした軽量な未充填状態の外面部材の内部に流動材料を充填して拡張させるだけで、その外面部材の外面が掘削穴の形状に倣うように変形してその掘削穴と相似形状になる。このため、掘削穴の内面が近接対面あるいは接触対面する外面部材に押さえられる。また、掘削穴内にセットした外面部材の内部から流動材料を流出させるだけで、その外面部材が縮小されるとともに軽量化される。
【００１２】
したがって、外面部材が流動材料の充填量に応じて掘削穴の寸法形状に拘わらずに相似形状に変形してその内面を押さえることができ、また、その流動材料が充填されていない状態にして容易に外面部材を掘削穴内から引き上げて回収することができる。
【発明の効果】
【００１３】
このように本発明によれば、掘削穴の寸法形状に拘わらずに、軽量な状態の外面部材をセットして流動材料を充填するだけで、その掘削穴の内面を押さえて崩れることを防止することができ、柱状構造物を建柱する際には、その流動材料を流出させるだけで縮小・軽量化して容易に引き上げて回収することができる。
【００１４】
したがって、埋め戻すことなく、例えば、柱状構造物を掘削穴内に差し込んで埋設する作業を行なう日まで崩れることを簡易で安価な構造の外面部材で防止することができ、その建柱作業の日にはその流動材料を流出させるだけで外面部材を回収して掘削穴を開口して、そのまま建柱作業を再開することができる。
【図面の簡単な説明】
【００１５】
【図１】本発明に係る建柱作業用補助道具の一実施形態を示す図であり、その全体構成を示す分解斜視図である。
【図２】その要部構成を示す一部拡大縦断面図である。
【図３】本発明に係る柱状構造物の建柱作業方法の一実施形態を示す図であり、その各工程を説明する縦断面図である。
【図４】その図３に続く工程を説明する縦断面図である。
【図５】その建柱作業用補助道具の他の実施形態を示す正面図である。
【図６】その建柱作業用補助道具の図５と異なる他の実施形態の一部を示す正面図である。
【図７】その柱状構造物の建柱作業方法の関連技術の各工程を説明する縦断面図である。
【図８】その図７に続く工程を説明する縦断面図である。
【発明を実施するための形態】
【００１６】
柱状構造物の下端部よりも大きめに形成された掘削穴内に該柱状構造物の下端部を差し込んで埋設することにより柱状構造物を所望の位置に立てる建柱作業に用いられる補助道具としては、内容物からの内圧に応じて変形する外面部材と、該外面部材内に充填される流動材料とを備えており、前記外面部材は、前記流動材料を充填することで前記掘削穴の内面に外面が倣うように変形して該掘削穴と相似形状になって当該掘削穴の内面に近接対面あるいは接触対面することを基本構成とするのに加えて、次の構成を備えてもよい。
【００１７】
第１の形態としては、前記外面部材は、前記掘削穴の内面形状よりも大きな袋形状に形成されている保護部材と、該保護部材内に収納されて前記流動材料を充填されることにより前記掘削穴と相似形状に変形する弾性部材と、を備える少なくとも２重構造に形成してもよい。
【００１８】
この構成では、外面側が保護部材で覆われている弾性部材内に流動材料が充填されて拡張される。したがって、掘削穴の内面に直接接触して破れてしまうことを回避することができ、繰り返し利用することができる。
【００１９】
第２の形態としては、前記外面部材は、前記掘削穴内における下側に位置して外面の拡張が強く制限されることなく変形する大変形部と、前記掘削穴内における上側に位置して外面の拡張が強く制限されつつ変形する小変形部と、が前記掘削穴の深さ方向に少なくとも１段以上備えていてもよい。
【００２０】
この構成では、掘削穴の上側の小変形部が大きく変形することなく、掘削穴の下側の大変形部が大きく変形して拡張される。したがって、小変形部と大変形部との間で、掘削穴の開口側にずれるよりも掘削穴の底方向にずれる傾向にすることができ、流動材料を充填したときに掘削穴から出て行こうとするのをなくすことができる。
【００２１】
第３の形態としては、前記外面部材は、前記流動材料として圧搾空気を吐出する装置の吐出口に連結する流入口と、内部の空気を流出させる流出口と、が一体に、あるいは、別体に配設されており、前記流入口には、空気の圧力方向に応じて変形して、圧搾空気の流入を許容するとともに、内部の空気が外部に流出することを制限する制限部材が配設される一方、前記流出口には、内部の空気の流出を制限しないように開口していてもよい。
【００２２】
この構成では、圧搾空気の吐出装置に接続するだけでその圧搾空気を外面部材内に流入させることができ、その充填時には逆流して流出させてしまうことなく流入口から効果的に充填することができる一方、流出口から充填空気を効率よく流出させて回収することができる。
【００２３】
以下、図面を参照して、本発明の実施形態について詳細に説明する。図１〜図４は本発明に係る柱状構造物の建柱作業方法および建柱作業用補助道具の一実施形態を示す図である。ここで、本実施形態では、図７および図８に示す建柱作業と同様の構成には同一の符号を付して説明する。
【００２４】
まず、建柱作業用補助道具の構成を説明する。図１において、建柱作業用補助道具１０は、機能部材１１と保護部材１２とで構成されており、機能部材１１を保護部材１２内に収納する２重構造にして電柱Ｅの建柱作業で使用するようになっている。
【００２５】
機能部材１１は、弾性力を有する、例えば、ゴム製の板材料を両端側の閉塞されている円筒形状に形成して弾性部材を構成させており、後述するバルブ部１３から空気や液体などの流動材料を内部に充填することにより、図３および図４に示す掘削穴Ｈの直径ＨＤよりも大きめな直径１１Ｄでその深さＨｄ程度の高さ１１ｈの大きさ以上の外形に少なくとも弾性変形して拡張可能に作製されている。すなわち、機能部材１１は、外形を自由に変形することのできるゴム板材料であることから内部の空気などを抜くことにより掘削穴Ｈ内に収容セット可能な大きさに縮小することができるとともに、内部に空気などを充填することによりその掘削穴Ｈより外形を大きくすることができる。
【００２６】
保護部材１２は、丈夫な、例えば、キャンバス生地が他の部材を収納可能な袋形状に形成されており、掘削穴Ｈの直径ＨＤよりも大きめな直径１２Ｄでその深さＨｄよりも長めの高さ１２ｈの外形になる、一端側の開口する有底の円筒形状に作製されている。すなわち、保護部材１２は、外形を自由に変形することのできる布製であることから掘削穴Ｈ内に収容可能な大きさに縮小することができるとともに、その掘削穴Ｈより外形を大きくすることができる。
【００２７】
この構成により、建柱作業用補助道具１０は、機能部材１１を保護部材１２内に収納する状態にして掘削穴Ｈ内にセットして、機能部材１１内に空気などを充填して保護部材１２と共に外形を拡張することにより、保護部材１２（機能部材１１）の外面を掘削穴Ｈの内面に倣うように変形させて圧接させることができ、掘削穴Ｈと相似形状になって保護部材１２の外面が掘削穴Ｈの内面のほとんどに接触対面し、その内面の状態によっては近接対面する状態になる。
【００２８】
また、機能部材１１は、円筒形状の一端側端面の中心にバルブ部１３が配設されており、バルブ部１３は、図２に示すように、空気などの流動材料を機能部材１１内に流入させる流入口１５と、機能部材１１内の空気などの流動材料を流出可能に開口する流出口１６とをそれぞれ別個に備えている。流入口１５および流出口１６は、ネジ部１５ａ、１６ａに閉塞蓋１５ｂ、１６ｂを螺合させてそれぞれ気密に閉塞することができるようになっている。そのうちの流出口１６は、単にネジ部１６ａに閉塞蓋１６ｂを着脱するだけで気密に閉塞するとともに、内部の空気などを容易に放出することができるようになっている。
【００２９】
一方、流入口１５は、例えば、図示することは省略するが、掘削穴Ｈを掘削する際などに不図示の削岩機に接続して使用するコンプレッサ１００（図３を参照）を共通に使用することができるようにネジ部１５ａに圧搾空気の吐出ホース１０１を接続することができるようになっており、そのコンプレッサ１００が吐出する圧搾空気を流入口１５から流入・充填させて機能部材１１を容易かつ効率よく膨らませる（拡張させる）ことができる。
【００３０】
また、流入口１５は、機能部材１１の内側に、ゴム板材料などの弾性材料をその流入口１５の開口形状と同一形状に加工した弁部材１７が配設されており、その開口を閉塞する姿勢が自然状態になるように一端側が固設されている。このため、弁部材１７は、流入口１５に接続したコンプレッサ１００から圧搾空気が吐出・流入される際には、圧搾空気の圧力で変形してその流入を大きく制限してしまうことはなく、その圧搾空気を停止して吐出ホース１０１を外す際には、内部空気の圧力により流入口１５側に密接してその開口を気密に閉塞することができる。
【００３１】
次に、柱状構造物の建柱作業方法を図３および図４を用いて説明する。例えば、電柱Ｅを設置する地盤が大きな礫が多いために、掘削穴Ｈを掘削するとともに電柱Ｅを直立させた状態に吊り上げてその掘削穴Ｈ内に差し込んで保持するように稼動する、所謂、建柱機を利用することができない場合には、削岩機にコンプレッサ１００を接続して、図７で説明した建柱作業と同様に、電柱Ｅの建柱に必要な所望の直径ＨＤと深さＨｄの掘削穴Ｈを電柱Ｅの設置場所に掘削する作業を行なう（掘削工程：図３（ａ））。
【００３２】
この掘削作業に時間が掛かるなどして、電柱Ｅを立てる作業まで完了することができなかった場合には、念のために携行して来た建柱作業用補助道具１０の機能部材１１と保護部材１２を準備して、まずは、有底の円筒形状の保護部材１２を、掘削穴Ｈ内にその底部側から入れて開口側がその掘削穴Ｈの上部側で開口する状態に収容する。続けて、削岩機に使用したコンプレッサ１００の吐出ホース１０１を、機能部材１１のバルブ部１３の流入口１５から閉塞蓋１５ｂを外したネジ部１５ａに接続して、その機能部材１１を保護部材１２内の底部上に載置する（第１収容工程：図３（ｂ））。
【００３３】
次いで、コンプレッサ１００を稼動して、掘削穴Ｈにセットした建柱作業用補助道具１０の機能部材１１内に吐出ホース１０１から圧搾空気をバルブ部１３の流入口１５から流入・充填させて本来の円筒形状に復元するように内容積を増大させる（第２収容工程（充填工程）：図３（ｃ））。
【００３４】
このとき、機能部材１１は、両端側が閉塞されている円筒形状をその軸方向に縮小する形状で掘削穴Ｈ（保護部材１２）内に収容された状態から、内部に流入される圧搾空気による内部圧力でその内部容積を全方位方向に増大させるが、その掘削穴Ｈの内面に外面が倣うように変形しつつ内部容積を増大させる。また、このとき、機能部材１１は、掘削穴Ｈの内面（保護部材１２）に圧接する圧接位置を増大させる方向に拡張するとともに、必要に応じて弾性変形して拡張（膨張）することもできる。
【００３５】
このため、建柱作業用補助道具１０は、機能部材１１が保護部材１２を介して掘削穴Ｈの内面に接触対面して、あるいはその内面形状によっては近接対面する状態の相似形状に変形して、その掘削穴Ｈが崩れてしまうことを制限するように押さえることができる。同時に、その掘削穴Ｈが内部の空間を開口している状態のままになってしまうことなく、その開口箇所を閉じた状態にすることができる。
【００３６】
この後には、コンプレッサ１００の吐出ホース１０１を機能部材１１のバルブ部１３の流入口１５のネジ部１５ａから外して閉塞蓋１５ｂを螺合させることで気密に閉塞した後に、その掘削穴Ｈ内の機能部材１１を隠すように保護部材１２の掘削穴Ｈの開口側上部を閉じた状態にする。次いで、歩行者や自動車などの荷重に耐え得る強度を有する鉄板Ｆを、その掘削穴Ｈの開口を閉塞するように載置して、この建柱作業を一旦中断する（第３収容工程（充填工程）：図４（ａ））。なお、このとき、バルブ部１３の流入口１５は、内部の充填空気の内圧で弁部材１７が圧接することにより、その充填空気が流出することが制限する状態を維持しつつネジ部１５ａに閉塞蓋１５ｂを螺合させることができる。
【００３７】
そして、後日に建柱作業を再開する際には、掘削穴Ｈ上の鉄板Ｆを外した後に、保護部材１２の上部側を開口させるとともに、機能部材１１の上部側のバルブ部１３の流出口１６のネジ部１６ａから閉塞蓋１６ｂを外して内部の充填空気の流出を許容しつつ、そのバルブ部１３などの上部を持ち上げて引き上げた後に、続けて、保護部材１２も掘削穴Ｈ内から引き上げる（回収工程：図４（ｂ））。
【００３８】
このとき、建柱作業用補助道具１０は、機能部材１１と保護部材１２の双方共に外形を自由に変形させることができる。このため、機能部材１１は、上部側のバルブ部１３の流出口１６から閉塞蓋１６ｂを外すだけで内部の充填空気を流出させつつ、そのバルブ部１３などの上部を持ち上げるだけで保護部材１２（掘削穴Ｈ）の内面から離れた状態にして容易に上方に引き上げることができる。また、保護部材１２も、続けて掘削穴Ｈ内から変形させつつ容易に引き上げることができ、容易に回収することができる。
【００３９】
次いで、図７で説明した建柱作業と同様に、不図示のクレーンで吊り下げた電柱Ｅの下端部ｅを、建柱作業用補助道具１０を回収した掘削穴Ｈ内に差し込んで立てた状態を維持しつつ、その電柱Ｅの下端部ｅとの間に土砂Ｓを入れて振動させるなどして硬く締める状態に埋設して、電柱Ｅを所望の位置に設置する建柱作業を完了する（埋設工程：図４（ｄ））。
【００４０】
このように本実施形態においては、空気を充填して拡張する軽量の機能部材１１を、その外面を保護部材１２で覆って保護する状態で掘削穴Ｈ内にセットして、その外形を掘削穴Ｈの内面に倣う形状に変形させつつ圧接する状態に拡張することができ、回収する際には、その機能部材１１の内部の空気を抜くだけで縮小させて容易に回収することができる。このため、掘削穴Ｈの形状寸法に拘わらずに、その内面を押さえて崩れるのを防止することができるとともに、掘削穴Ｈを埋め戻すことなく、鉄板Ｆが不用意に外れたとしても、その掘削穴Ｈ内に通行人が落下してしまうことを未然に回避することができる。
【００４１】
したがって、建柱作業を無理して継続することなく、簡易な構造で軽量の建柱作業用補助道具１０を掘削穴Ｈ内に容易にセットして空気を充填するだけでその掘削穴Ｈの安全を確保することができ、後日には、その建柱作業用補助道具１０を空気を抜くだけで容易に回収して建柱作業を再開することができる。
【００４２】
本実施形態の他の態様としては、空気に代えて、水などの液体を充填してもよいが、建柱作業用補助道具１０から抜かない限り相当重い重量になってしまうことから、本実施形態のように、空気を充填する方が作業性に優れる。
【００４３】
また、建柱作業用補助道具１０は、機能部材１１が掘削穴Ｈの内面に直接接触して破れてしまわないように保護部材１２内に収納する別部材の２重構造にしているが、これに限るものではなく、例えば、キャンバス地の内面にゴムなどを塗布して気密性を高めて１部品の外面部材にしてもよく、弾性変形する機能を備えない場合でも、相対的に外形が小さな掘削穴Ｈであれば同様に使用することができ、部品点数を少なくすることができて好適である。また、バルブ部１３は、流入口１５と流出口１６とを別個にしているが、共通にしても良いことはいうまでもない。
【００４４】
また、機能部材１１が、例えば、図５に示すように、空気を充填したときに概略円錐形状に拡張させる構造にすることにより、下側が大きく変形する大変形部１１ａとなって、上側が変形の小さな小変形部１１ｂとなるように形成してもよい。この場合には、掘削穴Ｈの内面に接触する圧力が底側ほど大きくなって、その底側にずれようとし、掘削穴Ｈから出て行こうとすることをなくすことができる。
【００４５】
また、機能部材１１が、例えば、図６に示すように、空気を充填したときに大きく拡張することを許容するように弾性力の大きな大変形部１１ａと、充填空気による拡張が大変形部１１ａよりも制限されるように弾性力の小さな小変形部１１ｂとが深さ方向に連続するようにしてもよい。この場合には、掘削穴Ｈの内面に強く圧接する大変形部１１ａが小変形部１１ｂを挟んで連続することになり、ずれようとすること自体を制限することができ、掘削穴Ｈから出てしまうことをなくすことができる。
【産業上の利用可能性】
【００４６】
これまで本発明の一実施形態について説明したが、本発明は上述の実施形態に限定されず、その技術的思想の範囲内において種々異なる形態にて実施されてよいことは言うまでもない。
【符号の説明】
【００４７】
１０……建柱作業用補助道具      １１……機能部材      １１ａ……大変形部      １１ｂ……小変形部      １２……保護部材      １３……バルブ部      １５……流入口      １６……流出口      １７……弁部材      １００……コンプレッサ      Ｅ……電柱      ｅ……下端部      Ｈ……掘削穴
【図１】
2011021437.tif 000003
【図２】
2011021437.tif 000004
【図３】
2011021437.tif 000005
【図４】
2011021437.tif 000006
【図５】
2011021437.tif 000007
【図６】
2011021437.tif 000008
【図７】
2011021437.tif 000009
【図８】
2011021437.tif 000010